(57)【要約】【課題】リム部の構造による水洗大便器全体の設計自由度やデザインへの影響を抑制し、さらに、異音の発生を抑制することができる水洗大便器を提供する。【解決手段】本発明の水洗大便器は、汚物受け面(6)と汚物受け面の上縁に設けられたリム部(8)を備えたボウル部(4)と、ボウル部に接続され汚物を排出する排水トラップ管路(16)と、ボウル部の前側領域に位置するリム部に設けられ、洗浄水を吐水し、この洗浄水がリム部に沿って旋回してボウル部を洗浄するリム吐水口(12)と、ボウル部の前側領域に位置するリム部の内部に設けられ、リム吐水口へ洗浄水を導くリム導水路(10)と、ボウル部の汚物受け面の下方を経由してボウル部の前側領域に位置するリム導水路に洗浄水を供給すると共に洗浄水供給停止時にはその内部に洗浄水が残るようになっている第１導水ホース(26)と、を有する。【選択図】図２
2018168643.tif 000002
【特許請求の範囲】
【請求項１】
洗浄水を旋回させることにより汚物を排出する水洗大便器であって、
ボウル形状の汚物受け面とこの汚物受け面の上縁に設けられたリム部を備えたボウル部と、
このボウル部に接続され汚物を排出する排水管路と、
上記ボウル部の前側領域に位置する上記リム部に設けられ、洗浄水を吐水し、この洗浄水が上記リム部に沿って旋回して上記ボウル部を洗浄するリム吐水口と、上記ボウル部の前側領域に位置する上記リム部の内部に設けられ、上記リム吐水口へ洗浄水を導くリム導水路と、を備えるリム吐水部と、
上記汚物受け面の下方を経由して上記ボウル部の前側領域に位置する上記リム導水路に洗浄水を供給すると共に洗浄水供給停止時にはその内部に洗浄水が残るようになっている導水路部材と、を有する、水洗大便器。
【請求項２】
更に、上記排水管路の左右及び/又は下方に配置され洗浄水を貯水する貯水タンクと、この貯水タンク内の洗浄水を上記導水路部材へ供給する加圧ポンプと、を有する請求項１に記載の水洗大便器。
【請求項３】
更に、上記排水管路の出口を外部の配管に接続する排水ソケットを有し、上記貯水タンクが上記排水ソケットと一体に設けられている請求項２に記載の水洗大便器。
【請求項４】
上記導水路部材の下流端は上記リム導水路の底面に接続され、上記導水路部材は上記リム導水路内へ上方に向けて洗浄水を供給する請求項１乃至３の何れか１項に記載の水洗大便器。
【発明の詳細な説明】
【技術分野】
【０００１】
本発明は、水洗大便器に係り、特に、洗浄水を旋回させることにより汚物を排出する水洗大便器に関する。
【背景技術】
【０００２】
従来から、洗浄水を吐水してボウル部に旋回流を形成する吐水部を、ボウル部の前側領域に設け、この吐水部から吐水した洗浄水をボウル部内で旋回させて汚物を排出するようにした水洗大便器が知られている。このタイプの水洗大便器は、ボウル部の前側領域に設けられた吐水部から洗浄水を吐水することにより、ボウル部の後側領域に比べ曲率半径の小さい前側領域でのエネルギー損失を抑え、旋回流の水勢を維持させることにより、ボウル部の洗浄不良を防止するようにしている。
【０００３】
例えば、特許文献１に記載された水洗大便器においては、水洗大便器の後部上方に設けられた貯水タンクから、ボウル部の上端に設けられたリム部の内部を通過し、リム部の前側領域に開口したリム吐水口に至り、このリム吐水口から前方に向けて洗浄水を吐水し、ボウル部に旋回流を形成し、汚物を排出するようにしている。
【先行技術文献】
【特許文献】
【０００４】
【特許文献１】特許第５５８５９４４号公報
【発明の概要】
【発明が解決しようとする課題】
【０００５】
しかしながら、特許文献１の水洗大便器では、ボウル部後方側からリム吐水口へと洗浄水を供給するため、リム部の内部にリム吐水口へと洗浄水を導くリム導水路を形成する必要がある。このため、リム部の設計自由度やデザインが制限され、これに伴い、水洗大便器全体の設計自由度やデザインが制限されるおそれがある。
【０００６】
さらには、ボウル部後方側からリム吐水口へと洗浄水を供給するため、リム導水路内部の空気が洗浄水により引きずられ、異音が発生するおそれがある。この異音は、リム導水路が長くなればなるほど、空気量も増加するため、発生しやすい。例えば、リム導水路が後方領域から延びてボウル部の前端のリム部を経由する場合に、リム導水路の長さが大きくなるため、リム導水路内部の空気量が増加し、これに伴い、空気の分離に起因する異音がより発生しやすいという課題がある。
【０００７】
本発明は、上述した課題を解決するためになされたものであり、リム部の構造による水洗大便器全体の設計自由度やデザインへの影響を抑制し、さらに、異音の発生を抑制することができる水洗大便器を提供することを目的としている。
【課題を解決するための手段】
【０００８】
上記の目的を達成するために、本発明は、洗浄水を旋回させることにより汚物を排出する水洗大便器であって、ボウル形状の汚物受け面とこの汚物受け面の上縁に設けられたリム部を備えたボウル部と、このボウル部に接続され汚物を排出する排水管路と、ボウル部の前側領域に位置するリム部に設けられ、洗浄水を吐水し、この洗浄水がリム部に沿って旋回してボウル部を洗浄するリム吐水口と、ボウル部の前側領域に位置するリム部の内部に設けられ、リム吐水口へ洗浄水を導くリム導水路と、を備えるリム吐水部と、汚物受け面の下方を経由してボウル部の前側領域に位置するリム導水路に洗浄水を供給すると共に洗浄水供給停止時にはその内部に洗浄水が残るようになっている導水路部材と、を有する。
このように構成された本発明においては、リム吐水部が、ボウル部の前側領域に位置するリム部に設けられ、洗浄水を吐水し、この洗浄水がリム部に沿って旋回してボウル部を洗浄するリム吐水口と、ボウル部の前側領域に位置するリム部の内部に設けられ、リム吐水口へ洗浄水を導くリム導水路と、を備え、さらに、導水路部材が、汚物受け面の下方を経由してボウル部の前側領域に位置するリム導水路に洗浄水を供給すると共に洗浄水供給停止時にはその内部に洗浄水が残るようになっているので、リム導水路の長さを短くすることができ、それにより、リム部の設計自由度及びデザインが制限されることを抑制することができる。従って、リム部の構造による水洗大便器全体の設計自由度やデザインへの影響を抑制することができる。さらに、リム導水路が短くなるので、リム導水路内部の空気量を軽減することができ、それにより、洗浄する際に洗浄水が空気を巻き込むことにより発生する空気の分離に起因する異音の発生を抑制することができる。
【０００９】
本発明は、好ましくは、更に、排水管路の左右及び/又は下方に配置され洗浄水を貯水する貯水タンクと、この貯水タンク内の洗浄水を導水路部材へ供給する加圧ポンプと、を有する。
このように構成された本発明においては、通常、空きスペースとなる排水管路の左右及び/又は下方に貯水タンクが配置されるので、水洗大便器全体の設計自由度及びデザイン自由度を向上させることができる。また、貯水タンクがボウル部の後方に設けられる場合と比べ、貯水タンクが配置される位置をリム導水路に近づけることができるため、導水路部材をより短くすることができ、導水路部材内の空気に起因する異音が生じることを抑制することができる。
【００１０】
本発明は、好ましくは、更に、排水管路の出口を外部の配管に接続する排水ソケットを有し、貯水タンクが排水ソケットと一体に設けられている。
このように構成された本発明においては、排水管路の出口を外部の配管に接続する排水ソケットと貯水タンクとが一体に設けられているので、貯水タンクと排水ソケットとの隙間が小さくなり、このため、排水管路の左右及び/又は下方の空きスペースをより有効に利用することができ、さらに、水洗大便器全体の設計自由度及びデザイン自由度を向上させることができる。
【００１１】
本発明は、好ましくは、導水路部材の下流端はリム導水路の底面に接続され、導水路部材はリム導水路内へ上方に向けて洗浄水を供給する。
このように構成された本発明においては、導水路部材の下流端がリム導水路の底面に接続され、導水路部材によりリム導水路内へ上方に向けて洗浄水が供給されるようになっているので、リム導水路内の空気を洗浄水により攪拌することができ、それにより、リム導水路内における空気の分離に起因する異音の発生をより効果的に抑制することができる。
【発明の効果】
【００１２】
本発明の水洗大便器によれば、リム部の構造による水洗大便器全体の設計自由度やデザインへの影響を抑制し、さらに、異音の発生を抑制することができる。
【図面の簡単な説明】
【００１３】
【図１】本発明の一実施形態による水洗大便器を示す平面図である。
【図２】図１のII−II線に沿って見た断面図である。
【図３】図１のIII−III線に沿って見たリム導水路と第１導水ホースとの接続箇所を示す部分拡大断面図である。
【発明を実施するための形態】
【００１４】
以下、図面を参照して、本発明の実施形態による水洗大便器について説明する。
先ず、図１及び図２により、本発明の一実施形態による水洗大便器の基本構造を説明する。図１は本発明の一実施形態による水洗大便器を示す平面図であり、図２は図１のII−II線に沿って見た断面図である。
【００１５】
図１に示すように、本発明の一実施形態による水洗大便器１は、床面に載置される便器本体２を備えている。ここで、図１において、水洗大便器１の前後方向は、右側を前方、左側を後方とし、水洗大便器１の左右方向は、水洗大便器１の前方に立つ使用者から見た側を基準とし、上側を右方、下側を左方とする。
【００１６】
便器本体２は、表面に釉薬層が形成された陶器製であり、汚物を受けるボウル部４を備えている。ボウル部４は、ボウル形状の汚物受け面６と、汚物受け面６の上縁に位置するリム部８とを備えている。また、ボウル部４における前後方向の中心位置を基準として左右方向に延びる中心軸Ｃに対して、前方側を前側領域、後方側を後側領域と呼ぶ。
【００１７】
便器本体２は、洗浄水を吐水するリム吐水部９を有する。リム吐水部９は、リム導水路１０と、リム導水路１０の下流端に形成されるリム吐水口１２とを備え、このリム吐水口１２から洗浄水を吐水する。リム導水路１０は、ボウル部６の前側領域の右側に位置するリム部８の内部に比較的短い距離にて形成され、このリム導水路１０の下流端には、洗浄水を吐水するリム吐水口１２が形成されている。また、リム導水路１０の底面には後述する第１導水ホース２６を接続するための接続用開口１３が形成されている。このリム吐水口１２及び接続用開口１３は、ともにボウル部６の前側領域に位置している。
【００１８】
リム吐水部９は、リム吐水口１２から後方に向けて洗浄水を吐水し、反時計方向に旋回する旋回流を形成するようになっている。
【００１９】
次に、ボウル部４の底部には、ジェット吐水口１４が形成されており、このジェット吐水口１４は、後述する排水トラップ管路１６の入口部１６ａに向かって洗浄水を吐水し、それにより、サイホン作用を発生するようになっている。
【００２０】
便器本体２は、さらに、ボウル部６に接続され汚物を排出する排水管路として機能する排水トラップ管路１６を備え、この排水トラップ管路１６は、ボウル部４の底部と連通した入口部１６ａと、この入口部１６ａから上昇するトラップ上昇管１６ｂと、このトラップ上昇管１６ｂから下降するトラップ下降管１６ｃと、を有している。排水トラップ管路１６のトラップ下降管８ｃの下流側には、排水ソケット１８が設けられ、トラップ下降管８ｃの出口が、排水ソケット１８に接続され、この排水ソケット１８を介して床下の配管（図示せず）に接続される。
【００２１】
次に、水洗大便器１は、便器本体２に供給される洗浄水を貯水する貯水タンク２０を備えている。この貯水タンク２０は、排水ソケット１８と一体構造となっており、さらに、通常は空きスペースとなっている便器本体２内部における排水トラップ管路１６の下方で且つ左右に配置されている。この貯水タンク２０の配置は、排水トラップ管路１６の下方、又は、左、右の何れかであってもよい。
【００２２】
便器本体２内部における貯水タンク２０の前側には、貯水タンク２０に貯水された洗浄水を便器本体２に供給するための加圧ポンプ２２が配置されている。この加圧ポンプ２２は、樹脂製の接続ホース２４により、貯水タンク２０と接続され、さらに、加圧ポンプ２２には、洗浄水を上述したリム吐水口１２に供給するための樹脂製の第１導水ホース２６及び洗浄水をジェット吐水口１４に供給するための樹脂製の第２導水ホース２８がそれぞれ接続されている。
【００２３】
さらに、加圧ポンプ２２の出口側には、加圧ポンプ２２の作動停止後に第１導水ホース２６から貯水タンク２０への逆流を防止するための逆止弁３０が設けられている。この逆止弁３０により、加圧ポンプ２２の作動停止時においても、第１導水ホース２６内は洗浄水が充満し、第１導水ホース２６内に残留する空気量が低減されるようになっている。なお、逆止弁を設けない場合でも、加圧ポンプ２２の作動停止時に、第１導水ホース２６内に貯水タンク２０の水面と同じレベルまで洗浄水が残るようになっている。さらに、第２導水ホース２８にも、逆止弁３０が設けられ、同様に機能するようになっている。
【００２４】
上述した貯水タンク２０に貯水される洗浄水は、給水源である建物内の水道配管（図示せず）から供給されており、貯水タンク２０内に貯水された洗浄水は、加圧ポンプ２２により便器本体２側に供給され、リム吐水口１２及びジェット吐水口１４から吐水されるようになっている。
【００２５】
次に、図３により、リム導水路１０と第１導水ホース２６との接続構造について説明する。図３は図１のIII−III線に沿って見たリム導水路と第１導水ホースとの接続箇所を示す部分拡大断面図である。
図３に示すように、リム導水路１０の下流端には、リム吐水口１２が位置しており、リム導水路１０の底面には、リム導水路１０と第１導水ホース２６とを接続するための接続用開口１３が形成されている。また、リム導水路１０の上流端の上方面１０ａは、鉛直断面で見てリム導水路１０の底面から上方へ延びる円弧形状に形成され、第１導水ホース２６からリム導水路１０に流入した洗浄水がリム導水路１０内に残存した空気をより効果的に排出し、空気が洗浄水に巻き込まれ難くなっている。
【００２６】
ここで、リム導水路１０と第１導水ホース２６との接続方法を説明する。先ず、リム導水路１０の下方から、接続用開口１３内に、接続用パイプ３２を挿入し、次に、複数の扇形のストッパー３４を挿入し、接続用パイプ３２の鍔部３２ａとリム導水路１０の底面との間にストッパー３４を介在させる。次に、接続用パイプ３２の外周側に、断面Ｌ字形状のパッキン３６、円盤形状のスペーサー３８、断面逆Ｌ字形状のナット４０を下方から順番に挿入する。このとき、ナット４０の内側のネジ部と接続用パイプ３２の外側のネジ部とが螺合する。このナット４０と接続用パイプ３２とが螺合することにより、パッキン３６、円盤形状のスペーサー３８が接続用開口１３内に配置され、さらに、この接続用パイプ３２が、リム導水路１０の底面に固定される。その後、接続用パイプ３２の下端に第１導水ホース２６の下流端である上端を挿入し、ホースクランプ４２により、第１導水ホース２６を接続用パイプ３２の外周面に固定し、第１導水ホース２６のリム導水路１０への接続作業を終了する。第１導水ホース２６、接続用パイプ３２、及び、逆止弁３０等は、リム導水路１０に洗浄水を供給すると共に洗浄水供給停止時にはその内部に洗浄水が残るようになっている導水路部材として機能する。
【００２７】
次に、上述した本発明の一実施形態による水洗大便器１の作用を説明する。
使用者によりスイッチ等を押圧することにより洗浄開始操作がなされた場合、まず、貯水タンク２０に貯水された洗浄水が加圧ポンプ２２により加圧され、第１導水ホース２６を通ってリム導水路１０に供給される。
【００２８】
リム導水路１０に供給された洗浄水は、リム導水路１０の内部の空気を攪拌しながら、リム吐水口１２へ向かい、リム吐水口１２からリム部８の内周面に沿って後方に向けて吐水される。この洗浄水が汚物受け面６上を反時計回りに流れる旋回流となり、汚物受け面６を洗浄する。
【００２９】
その後、第１導水ホース２６への洗浄水の供給が停止され、このとき、加圧ポンプ２２に設けられた逆止弁３０により、洗浄水は第１導水ホース２６に残存する。次いで、加圧ポンプ２２は第２導水ホース２８により洗浄水をジェット吐水口１４に供給し、ジェット吐水口１４から吐水される。
【００３０】
次に、本発明の一実施形態である水洗大便器１により奏される効果について説明する。
本実施形態による水洗大便器１においては、リム吐水口１２がボウル部４の前側領域に位置するリム部８に設けられ、そのリム吐水口１２から、洗浄水を吐水し、この洗浄水がリム部８に沿って旋回してボウル部４の汚物受け面６を洗浄し、リム導水路１０がボウル部４の前側領域に位置するリム部８の内部に設けられ、リム吐水口１２へ洗浄水を導き、第１導水ホース２６により、ボウル部４の汚物受け面６の下方の空間を経由してボウル部４の前側領域に位置するリム導水路１０の上流端に洗浄水を供給すると共に洗浄水供給停止時には逆止弁３０により第１導水ホース２６の内部に洗浄水が残るようになっている。その結果、リム導水路１０の長さを短くすることができ、それにより、リム部８の設計自由度及びデザインが制限されることを抑制することができる。従って、リム部８の構造による水洗大便器１全体の設計自由度やデザインへの影響を抑制することができる。さらに、例えば、ボウル部４の後側領域からボウル部４の前端にまでリム部８内部にリム導水路が延びている場合に比べ、リム導水路１０が短くなるので、リム導水路１０内部の空気量を軽減することができ、それにより、洗浄する際に洗浄水に空気を巻き込むことにより発生する空気の分離に起因する異音の発生を抑制することができる。
【００３１】
また、本実施形態による水洗大便器１においては、通常、空きスペースとなる排水トラップ管路１６の左右及び下方に貯水タンク２０が配置されるので、水洗大便器１全体の設計自由度及びデザイン自由度を向上させることができる。また、貯水タンク２０がボウル部４の後方に設けられる場合と比べ、貯水タンク２０が配置される位置をリム導水路１０に近づけることができるため、第１導水ホース２６をより短くすることができ、第１導水ホース２６内の空気に起因する異音が生じることを抑制することができる。
【００３２】
また、本実施形態による水洗大便器１においては、排水トラップ管路１６の出口を外部の配管（図示せず）に接続する排水ソケット１８と貯水タンク２０とが一体に設けられているので、貯水タンク２０と排水ソケット１８との隙間が小さくなり、このため、排水トラップ管路１６の左右及び下方の空きスペースをより有効に利用することができ、さらに、水洗大便器１全体の設計自由度及びデザイン自由度を向上させることができる。
【００３３】
また、本実施形態の水洗大便器１においては、第１導水ホース２６の下流端がリム導水路１０の底面に形成された接続用開口１３に接続され、第１導水ホース２６によりリム導水路１０内へ上方に向けて洗浄水が供給されるようになっているので、リム導水路１０内の空気を洗浄水により攪拌することができ、それにより、リム導水路１０内における空気の分離に起因する異音の発生をより効果的に抑制することができる。
【００３４】
以上、本発明の実施形態を説明したが、上述した実施形態に種々の変更を加えることができる。例えば、貯水タンク２０及び加圧ポンプ２２を設ける代りに、水道供給圧を利用し、水道から直接第１導水ホース２６を介してリム導水路１０に洗浄水を供給するようにしてもよい。
【符号の説明】
【００３５】
１  水洗大便器
２  便器本体
４  ボウル部
６  汚物受け面
８  リム部
９  リム吐水部
１０  リム導水路
１２  リム吐水口
１３  接続用開口
１４  ジェット吐水口
１６  排水トラップ管路
１８  排水ソケット
２０  貯水タンク
２２  加圧ポンプ
２４  接続ホース
２６  第１導水ホース
２８  第２導水ホース
３０  逆止弁
３２  接続用パイプ
３６  パッキン
４０  ナット
【図１】
2018168643.tif 000003
【図２】
2018168643.tif 000004
【図３】
2018168643.tif 000005